(57)【要約】【課題】従来のように、光コネクタの端面をキャップ等で保護するのではなく、結合前の単体の状態で指等が簡単に触れることを防ぎ、さらに、フェルールの保護解除もプラグをレセプタクル等と嵌合する作用だけでフェルール保護が解除でき、取り扱いを容易にすること。【解決手段】プラグのインシュレータ外周に、円筒形のスリーブを装着し、スプリング等を用いて他方側から押圧し、結合前はスリーブがフェルール端面より一方側に突出して、フェルールを保護し、結合によりスリーブが後方に押されフェルールがスリーブ端面より突出しレセプタクルのフェルールと接触できるようにしたこと。【選択図】  図１
2004272181.tif 000002
【特許請求の範囲】
【請求項１】
光コネクタあるいは電気と光の複合コネクタにおいて、プラグ等の嵌合部を有するもので、フェルールを内蔵したインシュレータを配し、一方側に、インシュレータの外周よりやや大きい内周面をもつ円筒のスリーブを嵌め、インシュレータ外周部に設けられた弾性体で一方側へ押圧し、嵌合前の一方側から力の加わっていない状態では、フェルール先端はインシュレータ先端より一方向に突出し、スリーブの先端より内側に引っ込んだ状態になっていて、レセプタクル等と嵌合し一方側からスリーブを押すことで、スリーブの一端がインシュレータ一端付近に到達し、フェルール端面がスリーブより突出し嵌合を完了する。嵌合を解除するとスリーブが嵌合前の位置に戻りフェルール端面はスリーブ一端より奥に位置し、プラグ単体の状態では、常にフェルールの保護された構造であることを特徴とするコネクタ。
【請求項２】
スリーブの内周に一方側から他方側に向かい、右あるいは左方向にカーブする方向に誘導孔を設け、インシュレータ外周に前記誘導孔に嵌まる誘導突起を設け、嵌合前の一方側から力の加わっていない状態から、スリーブを押すことでスリーブが回転し、スリーブ一端に設けられた内部側に突出した保護突起が、フェルールと円面上で同一の位置にあって保護していたものが、回転移動しフェルール端面が突出することを特徴とする請求項第１項のコネクタ。
【請求項３】
インシュレータ外周に、右あるいは左の回転方向で一方側から他方側に向かう誘導溝を配し、スリーブの内周にインシュレータの誘導溝に嵌まる誘導突起を設け、スリーブの一端にＶ字型やＵ字型等の作用凹溝を設け、レセプタクルの前記凹溝と円面上で同一の位置に作用突起を設け、レセプタクルとの嵌合前の一方側から力の加わっていない状態から、嵌合により作用凹溝が作用突起に嵌まりスリーブが回転し、スリーブ一端に設けられた内部側に突出した保護突起が、フェルールと円面上で同一の位置にあって保護していたものが、回転移動しフェルール端面が突出することを特徴とする請求項第１項のコネクタ。
【発明の詳細な説明】
【発明の属する技術分野】
本発明は、光コネクタにおけるプラグのみ、あるいはレセプタクルのみで、フェルール端面の保護をするための、保護機構に関する。
【従来の技術】
従来の光コネクタはＦＣ、ＳＣ、ＭＵ等の単芯で、キャップを装着することにより端面の保護を行うもの、あるいは、ＭＴ、ＭＰＯ等の特に端面を保護する機構を有さないもの等があった。また、プラグ端面部にヒンジ付きキャップを付けたものもあった。これ等の公知文献は特開平９−５５７２及び特開２００２−２６７８８７がある。
【本発明が解決しようとする課題】
従来の光コネクタには以下のような欠点があった。ＦＣやＳＵ、ＭＵといったキャップを装着するものは、キャップ着脱時に指先等が端面に触れてしまい、端面を洗浄しなければならないことがあり、プラグ端面にヒンジ付きキャップを付けたものは、レセプタクル等と結合する時、予めキャップを空けておかなければならず、指先等が触れてしまう恐れがあった。ＭＴやＭＰＯのような端面を保護する機構のないものは、取り扱いに注意が必要であった。また、フェルールを複数有する多芯の光コネクタにおいては、特に扱いが難しく端面の保護機能をつける場合、複雑な構造になりやすい欠点があった。
【課題を解決する手段】
本発明はこれ等の問題を解決するために考え出されたものである。
まず、光コネクタあるいは電気と光の複合コネクタにおいて、プラグ等の嵌合部にフェルールを内蔵したインシュレータを配し、一方側にインシュレータの外径よりやや大きい内周面をもつ円筒のスリーブを嵌め、インシュレータ外周部に設けられた弾性体で一方側へ押圧し、嵌合前の一方側から力の加わっていない状態ではフェルール先端はインシュレータ先端より一方側に突出し、スリーブの一方側先端より内側に引っ込んだ状態になっていて、単体でフェルールが突出しない様になっていて保護されている。レセプタクル等と嵌合し一方側からスリーブを押す事で、スリーブの一端がインシュレータ一端付近に到達し、フェルール端面がスリーブより突出しレセプタクル等のフェルール端面と接触し、伝送が可能になる。また、プラグとレセプタクルの結合を解除する時も、レセプタクルを外した時点で、プラグのスリーブが嵌合前の位置に戻り、フェルール端面はスリーブ一端より奥に位置し、プラグ単体の状態では、常にフェルールの保護された状態になる。
スリーブ一端に内側に突出した図４及び図６に示すような保護突起１ａを有し、嵌合前は図４の位置に保護突起があり、図３及び図５に示すスリーブの誘導溝１ｂとインシュレータの誘導突起４ｂが誘導溝を通る際に溝のカーブに作用し、スリーブが回転し、フェルールが保護突起の移動に伴い突出しフェルールが接触可能となり、結合を解除した時、保護突起も元の位置に戻り単体では常にフェルールを一方側から保護するようにして、指等が触れることを事がなく前記問題を解決するものである。
【発明の実施の形態】
本発明の実施の形態を図面に基づいて説明する。
図１は、プラグのＡ−Ａに一部断面した図で電気と光の複合を示したもので、インシュレータ４にフェルール８を内蔵したもので、インシュレータの外周面より、やや大きい内周面を持つスリーブ１を装着して、バレル内周と嵌まり抜け止め出来る。この図はインシュレータがソケットフロントインシュレータとソケットリアインシュレータで構成され、ソケットフロントインシュレータの外周に誘導突起４ｂを有している。
図２は、プラグの底面図でコンタクト配置を示すところで、スリーブ１が内周方向に突出したフェルールを保護するための丸みを帯びた突起１ａを有し、単体では、常にフェルールに指等が触れない様に保護されている。ソケットフロントインシュレータの嵌合面にスリーブの保護突起１ａの収まる保護凹部４ａを有している。
図３は、スリーブ１とフェルールスリーブスプリング２とフェルールワッシャ３とインシュレータ４とバレル５のみで、嵌合前のスリーブが端面より突出していて、フェルールスプリングもある程度伸びた状態を示している。
図４は、図３の底面図で、スリーブの保護突起１ａは嵌合前のフェルールの保護する位置にあり、円面上ではフェルールと同一の位置に来るようになっている。
図５は、図３より嵌合の進んだ状態でレセプタクル等でスリーブ一端を押圧したかたちで進むと、インシュレータの誘導突起４ｂがスリーブの誘導孔１ｂと作用して回転をして、底面図で図６のような角度になり、円面上でフェルールの位置からスリーブの保護突起がはずれ、フェルールが接触出来る様になる。この時、フェルールスリーブの保護突起１ａがインシュレータの保護凹部４ａに収まり、スリーブの端面がインシュレータの端面と近い位置になる様になっている。前記誘導孔１ｂを螺旋状にしフェルールスリーブが他方側に押圧され回転しながら結合するようにしてもよい。
図７はレセプタクルの平面図で、嵌合面を示している。図８はＡ−Ａ断面図でフェルールの部分を示している。フェルール２３は前記プラグのフェルール９と接触するものである。
図９はプラグで、組立前の斜視図でリアインシュレータ３６とフロントインシュレータ３４とフェルールスリーブスプリング３２、フェルールスリーブワッシャー３３、フェルールスリーブ３１、バレル３５を示し、一方側から見たものである。
図１０はインシュレータとスリーブ等が組立の終了したもの及び、レセプタクルの組立の終了した状態を示し、嵌合前の一方側から力の加わっていない時のもので、フェルールスリーブの保護突起３１ａはのフェルールの保護する位置にあり、円面上ではフェルールと同一の位置に来ている。
図１１はレセプタクルで、組立前の斜視図でレセプタクルシェル４０とフロントインシュレータ４１、リアインシュレータ４６を示し、他方側から見たものである。
図１２はプラグで、組立前の斜視図で、図９と同じものを方向を変えて他方側から見たものである。フェルールスリーブの誘導突起３１ｃはフロントインシュレータの誘導溝３５ｃに嵌まり必要な角度回転ができる。
図１３はプラグ側、バレル及びインシュレータ等を組立たものと、レセプタクル側、フロントインシュレータとリアインシュレータを組立たもので、作用凹溝と作用突起は、嵌合時作用突起が作用凹溝の斜面に働きかけ、フェルールスリーブが回転する。
図１４はレセプタクルで図１１と角度を変えて一方側から見たものである。
図１５はプラグとレセプタクルの嵌合前の、プラグを他方側から見た斜視図で、プラグ側、フェルールスリーブ嵌合部の外周に回転ボス５０を設け、嵌合が進むにつれ、レセプタクル内周の回転ガイド５１の斜面に当たり、押圧で回転ボスに回転方向へ力が加わり、フェルールスリーブが回転する。
図１６はプラグとレセプタクルの嵌合前の斜視図で、図１５と同じものを角度を変えている。
インシュレータに突起でフェルールスリーブに溝を設けるか、インシュレタに溝でフェルールスリーブに突起を設けるかは、その都度どちらを用いてもよく、誘導溝が左右にカーブして誘導突起が誘導溝のカーブに作用して回転するか、フェルールスリーブの作用凹溝に、レセプタクルのフロントインシュレータの一端に作用突起、あるいはレセプタクルシェルの嵌合部内周面に作用突起を設け回転するか、その組合せは自由である。
このものは、プッシュロック機構を示しているが、プラグとレセプタクルのロックに螺子を用いてもよい。
【効果】
以上により、スリーブでフェルール端面を保護するため、キャップ等を装着しなくても指先等が触れる事がなく、取り扱いが簡単である。当然、多芯のコネクタでは、従来のものに比べ、フェルール端面保護が簡素な構造で出来る。さらに、キャップ等を外す作業もなく、相手側と嵌合するだけで、フェルール端面が露出するため作業が容易である。
【図面の簡単な説明】
【図１】第１の実施例を示すプラグＡ−Ａ部断面図
【図２】プラグ底面図
【図３】第２の実施例を示す嵌合途中のインシュレータ及びスリーブ、スリーブワッシャ、スリーブスプリングを示した図
【図４】図３の底面から見た状態を示した底面図
【図５】嵌合終了時のインシュレータ及びスリーブ、スリーブワッシャ、スリーブスプリングを示した図
【図６】図５の底面から見た状態を示した底面図
【図７】レセプタクル平面図
【図８】レセプタクルＡ−Ａ断面図
【図９】第３の実施例を示す組立前のリアインシュレータ、フロントインシュレータ、スリーブスプリング、スリーブワッシャ、フェルールスリーブ、バレルの一方側からの斜視図
【図１０】第３の実施例を示す組立後のリアインシュレータ、フロントインシュレータ、スリーブスプリング、スリーブワッシャ、フェルールスリーブ及び組立後のレセプタクルを示した斜視図
【図１１】第３の実施例を示す組立前のレセプタクルで、レセプタクルシェル、フロントインシュレータ、リアインシュレータの他方側からの斜視図
【図１２】図９と同じものを角度を変えて他方側から見た状態を示した斜視図
【図１３】図１０と同じものでレセプタクルシェル４０を外したものを角度を変えて他方側から見た状態を示した斜視図
【図１４】図１１と同じものを角度を変えて他方側から見た状態を示した斜視図
【図１５】第３の実施例の変形でプラグ側回転ボス５０とレセプタクル側回転ガイド５１を示したプラグ他方側からの斜視図
【図１６】第３の実施例の変形で図１５と同じものを角度を変えて示した斜視図
【符号の説明】
１……フェルールスリーブ  １ａ……保護突起  １ｂ……誘導溝
２……フェルールスリーブスプリング  ３……フェルールスリーブワッシャ
４……インシュレータ  ４ａ……保護凹部  ４ｂ……誘導突起５……バレル
６……カップリングナット  ７……フェルールスプリング  ８……フェルール
２０……レセプタクルシェル  ２１……コンタクト  ２２……インシュレータ
２３……フェルール
３１……フェルールスリーブ  ３１ａ……保護突起  ３１ｂ……作用凹溝
３１ｃ……誘導突起  ３２……フェルールスリーブスプリング
３３……フェルールスリーブワッシャ  ３４……回転用スプリング
３５……フロントインユレータ  ３５ａ……保護凹部  ３５ｃ……誘導溝
３６……バレル  ３７……リアインシュレータ
４０……レセプタクルシェル  ４１……フロントインシュレータ
４１ｂ……作用突起  ４６……リアインシュレータ
５０……回転ボス  ５１……回転ガイド用突起
【図１】
2004272181.tif 000003
【図２】
2004272181.tif 000004
【図３】
2004272181.tif 000005
【図４】
2004272181.tif 000006
【図５】
2004272181.tif 000007
【図６】
2004272181.tif 000008
【図７】
2004272181.tif 000009
【図８】
2004272181.tif 000010
【図９】
2004272181.tif 000011
【図１０】
2004272181.tif 000012
【図１１】
2004272181.tif 000013
【図１２】
2004272181.tif 000014
【図１３】
2004272181.tif 000015
【図１４】
2004272181.tif 000016
【図１５】
2004272181.tif 000017
【図１６】
2004272181.tif 000018